(57)【要約】【課題】  紙帯供給リールの交換時に集積部から取出したばら紙幣を正確な枚数で自動施封処理できるようにする。【解決手段】  紙幣を取込む取込部２と、この取込部２により取込まれた紙幣を集積する集積部と、この集積部に紙幣が所定枚数集積されるのに基づいて所定枚数の紙幣を帯材供給リールから供給される紙帯によって施封する施封部と、供給リールの交換、及びこの交換時における集積部内の集積紙幣の取り出し、さらに、この取り出された紙幣を取込部２にセットすることを指示する操作表示部３３と、この操作表示部３３の指示に基づいて集積部内の紙幣の枚数を記憶する記憶部３８と、操作表示部３３の指示に基づいて取込部２にセットされた紙幣を取込部２により取込ませ、記憶部３８によって記憶された枚数に達するまで集積部に集積させる制御装置３２とを具備する。【選択図】      図３
2005267220.tif 000002
【特許請求の範囲】
【請求項１】
紙葉類を取込む取込手段と、
この取込手段により取込まれた紙葉類を集積する集積手段と、
この集積手段に前記紙葉類が所定枚数集積されるのに基づいて前記所定枚数の紙葉類を帯材供給部から供給される帯材によって施封する施封手段と、
前記帯材供給部の交換、及びこの交換時における前記集積手段内の集積紙葉類の取り出し、さらに、この取り出された紙葉類を前記取込手段にセットすることを指示する指示手段と、
この指示手段の指示に基づいて前記集積手段内の集積紙葉類の枚数を記憶する記憶手段と、
前記指示手段の指示に基づいて前記取込手段にセットされた紙葉類を前記取込手段により取込ませ、前記記憶手段によって記憶された枚数に達するまで前記集積手段に集積させる制御手段と
を具備することを特徴とする紙葉類処理装置。
【請求項２】
前記集積手段及び前記施封手段を内設するユニットと、
このユニットを開閉するもので、開放されることにより前記集積手段及び前記結束手段を外部に露出させる開閉扉と、
この開閉扉の開閉状態を検出する開閉検出手段と、
前記帯材の残量を検出する残量検出手段と
を有し、
前記指示手段は、前記残量検出手段によって前記帯材の残量が所定量以下であることが検出されるのに基づいて前記帯材供給部を交換すべきことを第１の画面に表示して指示し、前記帯材供給部の交換後に、前記開閉検出手段が前記開閉扉の閉塞を検出するのに基づいて前記第１の画面を第２の画面に切り換えてこの第２の画面に前記集積部内の紙葉類を取り出して前記取込手段にセットすべきことを表示して指示することを特徴とする請求項１記載の紙葉類処理装置。
【請求項３】
前記指示手段は前記第１の画面に前記記憶手段に対して前記集積手段内の集積紙葉類の枚数を記憶することを指示する記憶指示ボタンを有することを特徴とする請求項２記載の紙葉類処理装置。
【請求項４】
前記指示手段は前記第２の画面に前記取込手段にセットされた紙葉類の取り込を指示する取込指示ボタンを有することを特徴とする請求項２記載の紙葉類処理装置。
【請求項５】
前記ユニットは複数配置され、
前記指示手段は第１の画面に帯材供給部を交換すべきユニットを選択表示することを特徴とする請求項２記載の紙葉類処理装置。
【請求項６】
前記ユニットは複数配置され、
前記指示手段は第２の画面に集積手段から紙葉類を取り出すべきユニットを選択表示することを特徴とする請求項２記載の紙葉類処理装置。
【発明の詳細な説明】
【技術分野】
【０００１】
本発明は、例えば、紙幣をその種類に応じて区分集積したのち、この紙幣を所定枚数（１００枚）ずつ施封して把とする紙葉類処理装置に関する。
【背景技術】
【０００２】
この種の紙葉類処理装置においては、集積部に紙幣を所定枚数（例えば、１００枚）集積すると、この集積紙幣を施封部に送って帯材、例えば、紙帯リールから供給される紙帯により施封するようになっている（例えば、特許文献１参照。）。
【０００３】
ところで、施封用の紙帯は、紙幣に直接掛け渡す都合上、施封機構部内に存在し、集積部から隔離させることができない構造になっている。
【０００４】
このため、紙帯リールの紙帯が使用済みとなって紙帯リールを交換する際に、施封部の開閉扉が開かれると、集積部に集積されたバラの紙幣に対し、作業者がアクセス可能となってしまう。
【０００５】
そこで、セキュリティ確保のために、集積部に集積されたバラの紙幣は集積部から除去して保管するようにしている。
【特許文献１】特開平１１−２５４５５９
【発明の開示】
【発明が解決しようとする課題】
【０００６】
しかしながら、集積部から除去されるバラの紙幣は計数済みのものであり、従来においてはこの計数済みのバラの紙幣を外部に保管するため、未計数紙幣と厳密に分別して保管する必要が有り、管理が手間取るものとなっていた。
【０００７】
また、保管したバラの紙幣が１００枚になると、この１００枚の紙幣を手作業などにより別途施封していたため、多大な労力が必要になるという問題があった。
【０００８】
本発明は上記事情に着目してなされたもので、その目的とするところは、集積手段から取出したばら紙葉類を未計数紙葉類と厳密に分別したり、手作業により施封したりすることなく、正確な枚数で自動的に施封処理できるようにした紙葉類処理装置を提供することにある。
【課題を解決するための手段】
【０００９】
上記課題を解決するため、請求項１記載のものは、紙葉類を取込む取込手段と、この取込手段により取込まれた紙葉類を集積する集積手段と、この集積手段に前記紙葉類が所定枚数集積されるのに基づいて前記所定枚数の紙葉類を帯材供給部から供給される帯材によって施封する施封手段と、前記帯材供給部の交換、及びこの交換時における前記集積手段内の集積紙葉類の取り出し、さらに、この取り出された紙葉類を前記取込手段にセットすることを指示する指示手段と、この指示手段の指示に基づいて前記集積手段内の集積紙葉類の枚数を記憶する記憶手段と、前記指示手段の指示に基づいて前記取込手段にセットされた紙葉類を前記取込手段により取込ませ、前記記憶手段によって記憶された枚数に達するまで前記集積手段に集積させる制御手段とを具備することを特徴とする。
【発明の効果】
【００１０】
本発明によれば、帯材供給部の交換時に集積手段から取り出したバラ紙葉類を未計数紙葉類と混合させるといった恐れがなく、厳密な管理が不要になるとともに、集積手段から取り出した計数済紙葉類を所定枚数ごとに手作業等によって施封する必要もなく、無駄な労力を削減できる。
【発明を実施するための最良の形態】
【００１１】
以下、本発明を図面に示す実施の形態を参照して詳細に説明する。  
図１は、本発明の一実施の形態である紙葉類処理装置を示す概略的構成図である。
【００１２】
この紙葉類処理装置は処理ユニット１と、この処理ユニット１に並んで配設される４台の施封ユニット１３ａ〜１３ｄとによって構成されている。
【００１３】
処理ユニット１はその一側上部側に紙葉類としての紙幣Ｐを取込む取込手段としての取込部２を備えている。この取込部２から取込まれた紙幣は１枚づつ分離ローラ４により分離されて搬送路３に沿って搬送される。搬送路３中には検出部５が設けられ、この検出部５によって紙幣の種類、正損、真偽等が検出されるようになっている。
【００１４】
さらに、搬送路３の終端部には第１及び第２の分岐路７ａ，７ｂが接続されている。第１の分岐路７ａは処理ユニット１内の下部側に延長され、第２の分岐路７ｂは施封ユニット１３ａ〜１３ｄ内へ導入されている。搬送路３の終端部から送出される紙幣は振分ゲート８によって第１或いは第２の分岐路７ａ，７ｂに振り分けられる。
【００１５】
処理ユニット１内の下部側に延長される第１の分岐路７ａには、導入路９を介して集積部１０ａ〜１０ｅが接続されている。第１の分岐路７ａと導入路９との接続部には紙幣の搬送方向を振り分ける振分ゲート１２がそれぞれ設けられている。
【００１６】
施封ユニット１３ａ〜１３ｄ内へ導入された第２の分岐路７ｂには、導入路１４を介して集積手段としての集積部１６ａ，１６ｂが接続され、これら集積部１６ａ，１６ｂには施封手段としての施封部１７が接続されている。第２の分岐路７ｂと導入路１４との接続部には紙幣の搬送方向を振り分ける振分ゲート１５が設けられている。
【００１７】
上記した構成において、取込部２から取込まれた紙幣は搬送路３に沿って搬送され、検出部５において、その種類、正損、真偽等が検出される。そして、この検出結果に基づいて例えば、五千円券や、二千円券、リジェクト券等の場合には、第１の分岐路７ａを介して集積部１０ａ〜１０ｅに集積され、万円券の場合には第２の分岐路７ｂを介して施封ユニット１３ａ〜１３ｄに搬送されて後述するように施封される。
【００１８】
図２は上記した施封ユニット１３ａ〜１３ｄを示すものである。
【００１９】
施封ユニット１３ａ〜１３ｄは全て同様に構成されるため、施封ユニット１３ａを代表して説明する。
【００２０】
施封ユニット１３ａの前面部には上下部の開閉扉１９ａ，１９ｂが設けられている。施封ユニット１３ａの内部には、上記したように集積部１６ａ，１６ｂが設けられているとともに、施封部１７が設けられている。
【００２１】
集積部１６ａ，１６ｂは、送られてくる紙幣を一枚ずつ羽根間に導入させて所定方向に案内する羽根車２４と、この羽根車２４から排出される紙幣を集積させる集積箱２５とを有して構成される。集積箱２５内に紙幣が所定枚数例えば、１００枚集積されると、この集積された紙幣は図示しない送り機構により集積箱２５から施封部１７に送出されるようになっている。
【００２２】
施封部１７は、帯材としての紙帯２７を供給する帯材供給部としての供給リール２８を備えるとともに、この供給リール２８から送り出される紙帯２７によって積層状態の紙幣を施封する施封機構２９を備える。
【００２３】
上記した検出部５で一万円券と判定された紙幣は、第２の分岐路７ｂを介して施封ユニット１３ａ内へ搬送される。この紙幣は導入路１４を介して例えば、集積部１６ａへ送り込まれ、羽根車２４内に導入される。この導入された紙幣は羽根車２４の回転によって集積箱２５へと案内され、羽根車２４から排出されることにより集積箱２５内に集積される。この集積箱２５内に集積される紙幣の枚数は図３に示す計数手段３６によって計数される。集積箱２５内に紙幣が所定枚数（１００枚）集積されると、集積箱２５から送出されて施封部１７へ搬送されて施封機構２９によって紙帯２７により施封される。
【００２４】
ところで、上記したように紙幣の施封により紙帯２７が使用されてその残量が少なくなると、紙帯の供給リール２８を交換する必要がある。
【００２５】
そこで、施封部１７には図３に示すように紙帯２７の残量を検出する残量検出手段としての残量検出センサ３１が設けられている。この残量検出センサ３１は送信回路を介して制御手段としての制御装置３２に接続され、この制御装置３２には制御回路を介して指示手段としての操作表示部３３が接続されている。操作表示部３３の表示部３３Ａには図４にも示すように紙帯の残量を点灯表示するインジケータ３４が設けられている。
【００２６】
インジケータ３４は紙帯の残量が残量検出センサ３１により所定量以下になったことが検出されるのに基づいて緑色から赤色に点灯色を変化させるようになっている。
【００２７】
オペレータはこのインジケータ３４の赤色点灯を見ることにより、紙帯の残量が少ないと判断し、インジケータ３４を押圧操作する。このインジケータ３４の押圧操作により、操作表示部３３の画面が図５に示すように第１の画面３３ａに切り替わり、「下記赤色で示す施封部の紙帯リールが無くなりかけています。交換ボタンを押下し、施封扉を開いてリールを交換して下さい。」というメッセージが表示される。
【００２８】
オペレータはこの表示を見て交換ボタン３５を押圧操作する。これにより、制御装置３２は該当施封部１３ｂの計数手段３６によって計数された集積箱２５内の紙幣の集積枚数が記憶手段としての記憶部３８に記憶される。
【００２９】
こののち、オペレータは図２に示すように上下の開閉扉１９ａ，１９ｂを開放して、集積箱２５内の紙幣を取り出すとともに、紙帯の供給リール２８を新しい供給リール２８に交換する。この交換後、上下の開閉扉１９ａ，１９ｂを閉じる。この開閉扉１９ａ，１９ｂの開閉は開閉検知手段としての開閉検出センサ４０によって検出され、開閉扉１９ａ，１９ｂが閉じられたことが検出されるのに基づいて操作表示部３３の画面が図６に示すように第１の画面３３ａから第２の画面３３ｂに切り替わり、「下記赤色で示す施封部から取り出したバラ紙幣を取込部にセットし、取込ボタンを押下してください。」というメッセージが表示される。
【００３０】
オペレータはこの表示を見て取込部２に紙幣がある場合には、該紙幣を取り除いてから
バラ紙幣を取込部２にセットし、取込ボタン４２を押圧操作する。これにより、紙幣が取込部２から取込まれ、集積箱２５に集積される。この集積枚数が当該紙幣が記憶部３８に記憶されていた枚数に達すると、操作表示部３３の画面が図７に示すように第２の画面３３ｂから第３の画面３３ｃに切り替わり、「施封部への券供給が完了しました。ＯＫボタンを押下して処理を再開してください。」というメッセージが表示される。オペレータはこの表示を見てＯＫボタン４４を押圧操作する。これにより、処理が再開されることになる。
【００３１】
上記したように、この実施の形態によれば、紙帯の供給リール２８の交換目的で開閉扉１９ａ，１９ｂを開いて、紙帯の供給リール２８を交換するとともに、集積箱２５内から集積紙幣を取り出して開閉扉１９ａ，１９ｂを閉じたのちは、集積箱２５内から取り出したバラ紙幣を取込部２にセットして取込み、集積部１６ａに再度集積して交換前の状態に戻すため、従来のように、集積部１６ａ内から取り出した紙幣を、未計数紙幣と厳密に分別して保管する必要がなく、管理に手間取ることがないとともに、保管したバラの紙幣を手作業などにより施封する必要もなく、労力も少なくできる。
【００３２】
なお、本発明は、上記一実施の形態に限られることなく、その要旨の範囲内で種々変形実施可能なことは勿論である。
【図面の簡単な説明】
【００３３】
【図１】本発明の一実施の形態である紙葉類処理装置を示す概略的構成図。
【図２】同施封ユニットを示す斜視図。
【図３】同施封ユニットの駆動制御系を示すブロック図。
【図４】同操作表示部を示す正面図。
【図５】図４の操作表示部の画面が第１の表示画面に切り替わった状態を示す図。
【図６】図５の第１の表示画面が第２の表示画面に切り替わった状態を示す図。
【図７】図６の第２の表示画面が第３の表示画面に切り替わった状態を示す図。
【符号の説明】
【００３４】
Ｐ…紙幣（紙葉類）、２…取込部（取込手段）、１３ａ〜１３ｄ…ユニット、１６ａ，１６ｂ…集積部（集積手段）、１７…施封部（施封手段）、１９ａ，１９ｂ…開閉扉、２７…紙帯（帯材）、２８…紙帯の供給リール（帯材供給部）、３１…残量検出センサ（残量検出手段）、３２…制御装置（制御手段）、３３ａ…第１の画面、３３ｂ…第２の画面、３３…操作表示部（指示手段）、３５…交換指示ボタン、３８…記憶部（記憶手段）、４０…開閉検出センサ（開閉検出手段）、４２…取込指示ボタン。
【図１】
2005267220.tif 000003
【図２】
2005267220.tif 000004
【図３】
2005267220.tif 000005
【図４】
2005267220.tif 000006
【図５】
2005267220.tif 000007
【図６】
2005267220.tif 000008
【図７】
2005267220.tif 000009